【手続補正書】
【提出日】平成27年3月19日(2015.3.19)
【手続補正１】
【補正対象書類名】特許請求の範囲
【補正対象項目名】全文
【補正方法】変更
【補正の内容】
【特許請求の範囲】
【請求項１】
発振子を発振させるバイポーラ型の発振用トランジスターと、前記発振用トランジスターのコレクター・ベース間に設けられる帰還抵抗とを有する発振回路と、
前記発振回路に対して電流を供給する電流供給回路と、を含み、
前記電流供給回路は、
前記発振回路の前記発振用トランジスターのコレクターにバイアス電流を供給すると共に、
補助ベース電流を、前記発振用トランジスターの前記ベースに対して供給することを特徴とする回路装置。
【請求項２】
請求項１において、
前記発振回路は、
前記補助ベース電流の供給ノードと前記発振用トランジスターの前記ベースとの間に設けられる抵抗を含むことを特徴とする回路装置。
【請求項３】
請求項１又は２において、
前記発振回路は、
前記発振子の一端にその一端が接続される第１のキャパシターと、
前記発振子の他端にその一端が接続される第２のキャパシターと、
を含むことを特徴とする回路装置。
【請求項４】
請求項１乃至３のいずれかにおいて、
前記電流供給回路は、
前記バイアス電流及び前記補助ベース電流を供給するカレントミラー回路を含み、
前記カレントミラー回路は、
基準電流が流れる基準電流トランジスターと、
前記基準電流トランジスターのゲート及びドレインにそのゲートが接続され、前記バイアス電流を供給する第１の電流供給トランジスターと、
前記基準電流トランジスターのゲート及びドレインにそのゲートが接続され、前記補助ベース電流を供給する少なくとも１つの第２の電流供給トランジスターと、
を含むことを特徴とする回路装置。
【請求項５】
請求項１乃至３のいずれかにおいて、
前記電流供給回路は、
前記バイアス電流を供給する第１のカレントミラー回路と、
前記補助ベース電流を供給する第２のカレントミラー回路と、を含み、
前記第１のカレントミラー回路は、
第１の基準電流が流れる第１の基準電流トランジスターと、
前記第１の基準電流トランジスターのゲート及びドレインにそのゲートが接続され、前記バイアス電流を供給する第１の電流供給トランジスターと、を含み、
前記第２のカレントミラー回路は、
第２の基準電流が流れる第２の基準電流トランジスターと、
前記第２の基準電流トランジスターのゲート及びドレインにそのゲートが接続され、前記補助ベース電流を供給する第２の電流供給トランジスターと、
を含むことを特徴とする回路装置。
【請求項６】
請求項１乃至５のいずれかにおいて、
制御信号を出力する制御回路を有し、
前記電流供給回路は、前記制御信号に基づいて前記発振回路に供給する電流が制御されることを特徴とする回路装置。
【請求項７】
請求項１乃至６のいずれかに記載の回路装置と、
前記発振子と、
を含むことを特徴とする発振装置。
【請求項８】
請求項１乃至６のいずれかに記載の回路装置を含むことを特徴とする電子機器。
【手続補正２】
【補正対象書類名】明細書
【補正対象項目名】０００７
【補正方法】変更
【補正の内容】
【０００７】
本発明の第１の態様は、発振子を発振させるバイポーラ型の発振用トランジスターと、前記発振用トランジスターのコレクター・ベース間に設けられる帰還抵抗とを有する発振回路と、前記発振回路に対して電流を供給する電流供給回路と、を含み、前記電流供給回路は、前記発振回路の前記発振用トランジスターのコレクターにバイアス電流を供給すると共に、補助ベース電流を、前記発振用トランジスターの前記ベースに対して供給する回路装置に関係する。
本発明の第１の態様によれば、発振回路の発振用トランジスターのコレクターに対してコレクター電流供給用のバイアス電流が供給され、このバイアス電流に基づいて、帰還抵抗を介して発振用トランジスターのベースに対して電流が供給される。そして、この電流を補助する補助ベース電流が、発振用トランジスターのベースに対して供給される。このように補助ベース電流によりベース電流を補充すれば、例えばプロセス変動や周囲温度の変化に起因して発振用トランジスターの特性が変動した場合にも、発振用トランジスターのコレクター電圧の上昇を抑制し、安定した発振動作を実現できるようになる。
また本発明の第２の態様では、第１の態様において、前記発振回路は、前記補助ベース電流の供給ノードと前記発振用トランジスターの前記ベースとの間に設けられる抵抗を含んでもよい。
このような抵抗を設ければ、補助ベース電流の供給ノードの寄生容量等に起因して、発振の閉ループ内のインピーダンスが低下してしまうなどの事態を効果的に抑制できる。
また本発明の第３の態様では、第１の態様または第２の態様において、前記発振回路は、前記発振子の一端にその一端が接続される第１のキャパシターと、前記発振子の他端にその一端が接続される第２のキャパシターとを含んでもよい。
このような第１のキャパシターと第２のキャパシターを発振子の一端と他端に設けることで、発振用トランジスターを用いた安定した発振動作を実現できる。
また本発明の第４の態様では、第１の態様乃至第３の態様のいずれかにおいて、前記電流供給回路は、前記バイアス電流及び前記補助ベース電流を供給するカレントミラー回路を含み、前記カレントミラー回路は、基準電流が流れる基準電流トランジスターと、前記基準電流トランジスターのゲート及びドレインにそのゲートが接続され、前記バイアス電流を供給する第１の電流供給トランジスターと、前記基準電流トランジスターのゲート及びドレインにそのゲートが接続され、前記補助ベース電流を供給する少なくとも１つの第２の電流供給トランジスターと、を含んでもよい。
このようにすれば、第１の電流供給トランジスターと第２の電流供給トランジスターのサイズ比により、バイアス電流と補助ベース電流の電流比を設定することが可能になり、好適な電流比での電流供給を簡易に実現できるようになる。
また本発明の第５の態様では、第１の態様乃至第３の態様のいずれかにおいて、前記電流供給回路は、前記バイアス電流を供給する第１のカレントミラー回路と、前記補助ベース電流を供給する第２のカレントミラー回路と、を含み、前記第１のカレントミラー回路は、第１の基準電流が流れる第１の基準電流トランジスターと、前記第１の基準電流トランジスターのゲート及びドレインにそのゲートが接続され、前記バイアス電流を供給する第１の電流供給トランジスターと、を含み、前記第２のカレントミラー回路は、第２の基準電流が流れる第２の基準電流トランジスターと、前記第２の基準電流トランジスターのゲート及びドレインにそのゲートが接続され、前記補助ベース電流を供給する第２の電流供給トランジスターと、を含んでもよい。
このようにバイアス電流供給用の第１のカレントミラー回路と補助ベース電流供給用の第２のカレントミラー回路とを別個に設ければ、補助ベース電流の電流値を、バイアス電流の電流値に依存せずに、柔軟に設定することが可能になる。
また本発明の第６の態様では、第１の態様乃至第５の態様のいずれかにおいて、制御信号を出力する制御回路を有し、前記電流供給回路は、前記制御信号に基づいて前記発振回路に供給する電流が制御されてもよい。
このようにすれば、電流供給回路から出力される種々の電流、例えば、補助ベース電流やバイアス電流やの大きさについて、好適な電流値に容易に設定できるようになる。
また本発明の第７の態様は、上記のいずれかに記載の回路装置と、前記発振子とを含む発振装置に関係する。
また本発明の第８の態様は、上記のいずれかに記載の回路装置を含む電子機器に関係する。
本発明の一態様は、発振子の発振用トランジスターと、バイポーラ型の前記発振用トランジスターのコレクター・ベース間に設けられる帰還抵抗とを有する発振回路と、前記発振回路に対して電流を供給する電流供給回路とを含み、前記電流供給回路は、前記発振回路の前記発振用トランジスターのコレクターに対してコレクター電流供給用のバイアス電流を供給すると共に、前記バイアス電流に基づき前記帰還抵抗を介して前記発振用トランジスターのベースへと供給される電流を補助する補助ベース電流を、前記発振用トランジスターの前記ベースに対して供給する回路装置に関係する。